(57)【要約】【課題】予め設定されたフロントエンドの使用用途に応じた優先度と受信要求の有無を判断することにより、一度に１種類の偏波方式の信号しか受信できない環境において、可能な限り所望の信号を受信することができる衛星放送受信装置をコストアップなしに提供する。【解決手段】  衛星放送受信装置１００において、フロントエンドの使用用途に応じた優先度情報を記憶する優先度情報記憶手段を有し、制御部１３は、受信する際に、フロントエンド１２ａ，１２ｂに対して受信要求があった場合、記憶された優先度情報に基づいて、優先度が高いフロントエンドに対する受信要求に従い受信アンテナ１のコンバータ電源を供給するように制御する。また、制御部１３は、フロントエンド１２ａ，１２ｂのうち１つのフロントエンドにしか受信要求が存在しない場合には、優先度設定に関わらずその要求に従いコンバータ電源を供給するようにコンバータ電源１４を制御する。【選択図】        図２
2006054811.tif 000002
【特許請求の範囲】
【請求項１】
１つのアンテナと１つのコンバータからなる信号入力系統からの受信信号を受信する複数のフロントエンドを有する衛星放送受信装置において、
上記複数のフロントエンドの使用用途に応じた優先度情報を記憶する優先度情報記憶手段と、
上記複数のフロントエンドに対して同時に受信要求があった場合、上記優先度情報記憶手段に記憶された優先度情報に基づいて、優先度が高いフロントエンドに対する受信要求に従い受信アンテナのコンバータ電源を供給するように制御する制御手段と
を備えることを特徴とする衛星放送受信装置。
【請求項２】
上記制御手段は、
上記複数のフロントエンドのうち、１つのフロントエンドに対してしか受信要求が存在しない場合には、優先度設定に関わらずその要求に従い受信アンテナのコンバータ電源を供給する
ことを特徴とする請求項１に記載の衛星放送受信装置。
【発明の詳細な説明】
【技術分野】
【０００１】
この発明は、１つのアンテナと１つのコンバータからなる信号入力系統からの受信信号を受信する複数のフロントエンドを有する衛星放送受信装置に関する。詳しくは、フロントエンドの使用用途に応じた優先度情報を記憶する優先度情報記憶手段と、複数のフロントエンドに対して受信要求があった場合、優先度情報記憶手段に記憶された優先度情報に基づいて、優先度が高いフロントエンドに対する受信要求に従い受信アンテナのコンバータ電源を供給するようにし、複数のフロントエンドのうち、１つのフロントエンドに対してしか受信要求が存在しない場合には、優先度設定に関わらずその要求に従い受信アンテナのコンバータ電源を供給するように制御する制御手段とを備える構成とすることによって、一度に１種類の偏波方式の信号しか受信できない環境において、可能な限り所望の信号を受信できるようにした衛星放送受信装置に係るものである。
【背景技術】
【０００２】
衛星放送の伝送方式には、複数の偏波方式が存在する。例えばＢＳ（Broadcasting Satellite）放送は、右旋偏波信号であり、広帯域ＣＳ（Communication Satellite）デジタル放送においては、右旋偏波と左旋偏波の２種類の信号が衛星から送信される規定になっている。一般的には、複数の偏波方式の信号を受信することができるアンテナでは、アンテナに接続されているコンバータの動作を、衛星放送受信機から供給されるコンバータ電源の電圧レベルで切り換えることにより、いずれか一方の偏波方式の信号のみを出力できるようになっている。
【０００３】
このように、１つの衛星放送受信用フロントエンドしか有していない衛星放送受信装置では、そのフロントエンドで受信しようとする信号の伝送方式に合わせて偏波切換を行えばよかったが、複数の衛星放送受信用フロントエンドを有する衛星放送受信装置で、信号入力が１系統しか持たない場合は、それぞれのフロントエンドで受信したい信号の偏波方式が異なる場合には、同時にこれを受信することはできないため、受信回路の切り替えが必要となる。
【０００４】
例えば、１つのアンテナと１つのコンバータからなる信号入力系統と、２つの受信回路とからなる衛星信号受信機が提案されている（例えば、特許文献１参照）。
【０００５】
この場合、受信信号コンバータにて衛星信号用アンテナの偏波切り換え制御をするとともに、この衛星信号用アンテナにて受信した信号を周波数変換し、信号分配器を介して少なくとも２つの第１、第２の受信回路にて再生するようにした衛星信号受信機において、少なくとも２つの第１、第２の受信回路と受信信号コンバータとのそれぞれの間を結合するアンテナ制御電圧供給線に、優先順位を持った第１、第２優先切り替え回路を介在してなる。
【０００６】
第１の受信回路からアンテナ制御電圧が加えられると、第１優先切り替え回路では、第２の受信回路側を遮断し、第１の受信回路のアンテナ制御電圧がそのまま受信信号コンバータへ加えられる。この受信信号コンバータでは、衛星信号用アンテナの垂直偏波または水平偏波への切り替えが行われる。
【０００７】
なお、第１の受信回路からのアンテナ制御電圧が加えられていないときは、常に第２の受信回路側が結合されているので、第２の受信回路からアンテナ制御電圧が加えられると、第２優先切り替え回路を経て受信信号コンバータへ加えられてアンテナ制御が行われる。
【０００８】
【特許文献１】特開平１１−２７１６７号公報（第２，３頁、第１図）
【発明の開示】
【発明が解決しようとする課題】
【０００９】
しかしながら、上述した特許文献１の場合は、第１、第２の受信回路の優先度は固定されているため、受信回路の優先度の変更はできず、固定された受信回路しか優先受信できないという欠点があった。
【００１０】
また、特許文献１の場合、２つの受信回路を切り換えるために、第１、第２優先切り替え回路が設けられ、そのため回路部品の数が増え、コストアップにつながる欠点があった。
【００１１】
そこで、この発明は、予めフロントエンドの使用用途に応じた優先度を設定し、設定された優先度と受信要求の有無を判断することにより、一度に１種類の偏波方式の信号しか受信できない環境において、可能な限り所望の信号を受信することができるようにした衛星放送受信装置をコストアップなしに提供することを目的とする。
【課題を解決するための手段】
【００１２】
この発明に係る衛星放送受信装置は、１つのアンテナと１つのコンバータからなる信号入力系統からの受信信号を受信する複数のフロントエンドを有する衛星放送受信装置において、複数のフロントエンドの使用用途に応じた優先度情報を記憶する優先度情報記憶手段と、複数のフロントエンドに対して同時に受信要求があった場合、優先度情報記憶手段に記憶された優先度情報に基づいて、優先度が高いフロントエンドに対する受信要求に従い受信アンテナのコンバータ電源を供給するように制御する制御手段とを備えるものである。
【００１３】
例えば、制御手段は、複数のフロントエンドのうち、１つのフロントエンドに対してしか受信要求が存在しない場合には、優先度設定に関わらずその要求に従い受信アンテナのコンバータ電源を供給するようになされる。
【００１４】
この発明においては、予めフロントエンドの使用用途に応じた優先度を設定する。設定された優先度情報が優先度情報記憶手段に記憶される。受信する際に、受信要求のあったフロントエンドに対して、設定された優先度情報に基づいて優先度が高いフロントエンドに対する受信要求に従い受信アンテナのコンバータ電源を供給するように制御される。
【００１５】
これにより、一度に１種類の偏波方式の信号しか受信できない環境において、使用用途として優先度の高い信号を受信することが可能となる。
【００１６】
また、複数のフロントエンドのうち、１つのフロントエンドに対してしか受信要求が存在しない場合には、優先度設定に関わらずその要求に従い受信アンテナのコンバータ電源を供給することで、優先度の低いフロントエンドを使用する場合でも放送信号を受信することが可能となる。
【００１７】
また、従来のように切り替え回路を設ける必要がなく、低コストで実現することが可能となる。
【発明の効果】
【００１８】
この発明によれば、１つのアンテナと１つのコンバータからなる信号入力系統からの受信信号を受信する複数のフロントエンドを有する衛星放送受信装置において、フロントエンドの使用用途に応じた優先度情報の記憶手段と、制御手段とを備え、受信する際に、受信要求のあったフロントエンドに対して、予め設定された優先度情報に基づいて優先度が高いフロントエンドに対する受信要求を優先して受信アンテナのコンバータ電源を供給するように制御するものであり、一度に１種類の偏波方式の信号しか受信できない環境において、可能な限り所望の信号を受信することができる。
【発明を実施するための最良の形態】
【００１９】
以下、この発明の実施の形態の衛星放送受信装置について説明する。
図１は、実施の形態の衛星放送受信装置１００を備える衛星受信システムの構成を示す図である。図１に示すように、この衛星受信システムは、１つのアンテナと１つのコンバータからなる信号入力系統と、複数のフロントエンドを有する衛星放送受信装置１００とから構成されている。この場合、アンテナ１で受信した信号はコンバータ２で周波数変換され、信号ケーブル３を介して衛星放送受信装置１００からはコンバータ電源が供給される。
【００２０】
図２は、本発明の実施の形態の衛星放送受信装置１００の構成を示す図である。ここではデジタル放送受信機の場合を述べる。この衛星放送受信装置１００は、複数の衛星放送受信用フロントエンドを有し、衛星放送受信用アンテナからの信号入力を１系統有し、その信号が複数の衛星受信用フロントエンドに分配されていて、また衛星放送受信用アンテナのコンバータ電源を１系統有し、このコンバータ電源を複数の衛星放送受信用フロントエンドで共有している衛星放送受信装置である。
【００２１】
図２に示すように、衛星放送受信装置１００は、信号入力端子１０と、分配器１１と、フロントエンド１２ａ，１２ｂと、制御部１３と、コンバータ電源１４と、操作部１５と、信号処理部１６と、映像出力端子１７と，音声出力端子１８とから構成されている。
【００２２】
信号入力端子１０は、アンテナ１で受信した信号を入力するための端子で、信号ケーブル３を介してコンバータ２に接続されている。信号入力端子１０から入力された受信信号は、分配器１１に供給される。
【００２３】
分配器１１は、入力された放送信号を２つの回路に分配するものである。分配器１１で分配されたそれぞれの信号は、それぞれフロントエンド１２ａとフロントエンド１２ｂに送られる。なお、３以上のフロントエンドを用いる場合、分配器１１は、フロントエンドの数に対応して受信信号を分配することも可能である。
【００２４】
フロントエンド１２ａ，１２ｂは、チューナーと復調器により構成され、アンテナ１およびコンバータ２から送られてきた放送信号（ＢＳ−ＩＦ信号またはＣＳ−ＩＦ信号）から目的の放送信号を選択、復調し、トランスポートストリームを出力する装置である。
【００２５】
フロントエンド１２ａ，１２ｂから出力される信号は信号処理部１６に供給される。また、フロントエンド１２ａ，１２ｂの動作は、制御部１３により制御されている。
【００２６】
制御部１３は、内部に設けられたＲＯＭ（図示せず）に記憶された制御プログラム情報に従って、内部に設けられたＲＡＭ（図示せず）をワークエリアとして使用しながら、衛星放送受信装置１００の全体の動作を制御する。
【００２７】
この制御部１３は、操作部１５からの選局指示信号に基づいて、コンバータ電源１４を制御し受信信号の偏波方式に合わせて所定の電源電圧を供給するようになされる。そして、フロントエンド１２ａ，１２ｂの選局回路を制御し、希望する放送信号を選択する。
【００２８】
また、制御部１３は、受信する際に、フロントエンド１２ａ，１２ｂに対して受信要求があった場合、ＲＡＭに記憶された優先度情報に基づいて、優先度が高いフロントエンドに対する受信要求に従い受信アンテナ１のコンバータ電源を供給するように制御する。
【００２９】
また、制御部１３は、複数のフロントエンドのうち、例えばフロントエンド１２ａ，１２ｂのうち１つのフロントエンドに対してしか受信要求が存在しない場合には、優先度設定に関わらずその要求に従い受信アンテナ１のコンバータ２に所定の電源電圧を供給するようにコンバータ電源１４を制御する。
【００３０】
コンバータ電源１４は、コンバータ２に所定の電源電圧を供給する回路である。コンバータ電源１４は、制御部１３の制御により受信目的信号の偏波方式に対応する電圧（右旋の場合１５Ｖ、左旋の場合１１Ｖ）をコンバータ２に供給するようになされる。
【００３１】
操作部１５は、受信、録画など指示を入力するもので、例えば衛星放送受信装置１００の本体に設けられる操作パネル、またはリモコン（リモートコントローラ）である。
【００３２】
信号処理部１６は、フロントエンド１２ａ，１２ｂからのトランスポートストリームを処理する回路である。デジタル受信装置の場合は、デスクランブラ、デマルチプレクサ、ＭＰＥＧデコーダ、映像信号処理部、音声信号処理部等を備える。
【００３３】
デスクランブラは、フロントエンドから入力される放送信号のスクランブルを適宜解除して、デマルチプレクサに出力する。デマルチプレクサは、デスクランブラから入力される放送信号から、映像データおよび音声データを分離し、映像データおよび音声データをＭＰＥＧデコーダに出力する。ＭＰＥＧデコーダは、デマルチプレクサから入力された映像データおよび音声データをデコードし、その結果得られる映像信号および音声信号を、それぞれ映像信号処理部または音声信号処理部に出力する。映像信号処理部は、ＭＰＥＧデコーダから入力された映像信号に対し、所定の画像処理を行って映像出力端子１７に出力する。音声信号処理部は、ＭＰＥＧデコーダから入力された音声信号に対し、所定の音声処理を行って音声出力端子１８に出力する。
【００３４】
映像出力端子１７と音声出力端子１８には、受信した番組を視聴するために、例えばディスプレイおよびスピーカが接続される。信号処理部１６から出力される映像信号と音声信号は、それぞれ映像出力端子１７と音声出力端子１８より出力される。
【００３５】
また、図２において、制御部１３はコンバータ電源１４の電圧レベルを所望の偏波方式の信号を受信するために必要な値に設定する。すると、信号ケーブル３を介して信号がフロントエンド１２ａと１２ｂに入力される。フロントエンド１２ａと１２ｂは、制御部１３からの制御により、入力された信号の中から希望のチャンネルを受信し、信号処理部１６へと送る。信号処理部１６ではその中から映像信号および音声信号などを取り出すことができるようになっている。
【００３６】
ここで例えばフロントエンド１２ａとフロントエンド１２ｂとでは、フロントエンド１２ａの優先度が高いと定義する。設定された優先度情報は制御部１３で保持される。例えばフロントエンド１２ａを使用して右旋偏波で送信される信号を受信しようとし、同時にフロントエンド１２ｂを使用して左旋偏波で送信される信号を受信しようとした場合は、制御部１３は保持しているフロントエンド１２ａ，１２ｂの優先度情報からフロントエンド１２ａの優先度が最も高いと判断して、右旋偏波で送信される信号を受信するために必要な電圧レベルをコンバータ電源１４から供給する。すると信号ケーブル３を介してフロントエンド１２ａ，１２ｂに右旋偏波で送信された信号が入力される。これにより高優先度の受信要求を満たすことができる。
【００３７】
また例えば、フロントエンド１２ａに対しては受信要求がなく、フロントエンド１２ｂを使用して左旋偏波で送信される信号を受信しようとした場合には、制御部１３は、受信要求が存在するフロントエンドはフロントエンド１２ｂしか存在しないので、左旋偏波で送信される信号を受信するために必要な電圧レベルをコンバータ電源１４から供給する。すると信号ケーブル３を介してフロントエンド１２ａ，１２ｂに左旋偏波で送信された信号が入力される。これにより、優先度が低いと定義されているフロントエンドを使用する場合であっても、信号受信が可能となる。
【００３８】
続いて、本発明に係る衛星放送受信装置１００の動作例を説明する。ここで、録画時に録画に使用するフロントエンドの優先度を高くする場合で、偏波方式が右旋／左旋での例について説明する。図３、図４、図５は、衛星放送受信装置１００における動作例を示すフローチャートである。ここで、図３は録画開始する場合の動作例で、図４は録画終了する場合の動作例で、図５は、優先度に基づいて制御する動作例である。
【００３９】
受信する際に、例えば録画使用する場合に、まず図３に示すステップＳ１１で、録画の実行を開始する。次に、ステップＳ１２で、録画に使用するフロントエンドの優先度を高にする。そして、ステップＳ１３で、使用フロントエンドを指定して録画用選局を開始する。次に、図５に示す選局処理動作へ進む。
【００４０】
また、録画終了する際には、例えば図４に示すステップＳ２１で、録画終了となる。次に、ステップＳ２２で、視聴に使用するフロントエンドの優先度を高にする。そして、ステップＳ２３で、視聴用フロントエンドを使用するロック要求があるか否かを判断する。ここで、視聴用フロントエンドを使用するロック要求がないと判断される場合には、動作を終了する。なお、視聴用フロントエンドを使用するロック要求があると判断される場合には、図５に示す選局処理動作へ進む。
【００４１】
選局処理動作は、図５に示すように、まずステップＳ３１で、受信要求のフロントエンドは複数であるか否かを判断する。ここで、受信要求の存在するフロントエンドは複数であると判断された場合には、次のステップＳ３２で、使用フロントエンドは高優先度であるか否かを判断する。使用フロントエンドは高優先度であると判断される場合には、ステップＳ３３で、選局対象信号の偏波方式を判断する。選択対象信号の偏波方式は右旋である場合、ステップＳ３４で、コンバータ電源１５Ｖを供給する。また選択対象信号の偏波方式は左旋である場合、ステップＳ３５で、コンバータ電源１１Ｖを供給する。次に、ステップＳ３６で、フロントエンドに周波数を指定して選局を行う。そして、動作を終了する。
【００４２】
一方、ステップＳ３１で、受信要求の存在するフロントエンドは複数ではないと判断された場合には、そのままステップＳ３３へ進み、選局対象信号の偏波方式を判断する。選択対象信号の偏波方式は右旋である場合、ステップＳ３４で、コンバータ電源１５Ｖを供給する。また選択対象信号の偏波方式は左旋である場合、ステップＳ３５で、コンバータ電源１１Ｖを供給する。次に、ステップＳ３６で、フロントエンドに周波数を指定して選局を行う。この場合、優先度設定に関わらずその要求に従い受信アンテナ１のコンバータ２に所定の電源電圧を供給することで、優先度の低いフロントエンドを使用する場合でも所定偏波方式の放送信号を受信することができる。
【００４３】
また、ステップＳ３２で、使用フロントエンドは高優先度ではないと判断される場合には、ステップＳ３６へ進み、ステップＳ３６で、フロントエンドに周波数を指定して選局を行う。そして、動作を終了する。この場合、偏波方式を変更することができない。
【００４４】
このように本実施の形態においては、予めフロントエンドの使用用途に応じた優先度を設定する。設定された優先度情報を記憶する。受信する際に、複数のフロントエンドに対して受信要求があった場合、記憶された優先度情報に基づいて、優先度が高いフロントエンドに対する受信要求に従い受信アンテナのコンバータ電源を供給するように制御する。
【００４５】
これにより、一度に１種類の偏波方式の信号しか受信できない環境において、フロントエンドの使用用途に応じた優先度の高い信号を受信できる。
【００４６】
また、複数のフロントエンドのうち、１つのフロントエンドにしか受信要求が存在しない場合には、優先度設定に関わらずその要求に従い受信アンテナのコンバータ電源を供給することで、優先度の低いフロントエンドを使用する場合でも所定偏波方式の放送信号を受信することができる。
【００４７】
また、従来のように切り替え回路を設ける必要がなく、低コストで実現することが可能となる。
【００４８】
なお、上述実施の形態においては、フロントエンドを２つ有する衛星放送受信装置１００の場合について説明したが、これに限定されるものではない。即ち、フロントエンドの数は２つに限定しているものではなく、３つ以上であっても同様の処理が実現可能である。
【００４９】
また、この発明は、衛星放送受信装置から信号切換器を制御することで、信号切換器に入力された複数の偏波方式で送られてきた信号の中から１つの偏波方式に対応した信号を選択できる機能を有する衛星放送受信装置にも応用が可能である。
【００５０】
また、上述実施の形態においては、受信信号の偏波方式が右旋と左旋の場合について説明したが、これに限定されるものではない。受信信号の偏波方式が水平偏波と垂直偏波の場合にもこの発明を適用できる。また、アナログ放送とデジタル放送の組み合わせに関わらず適用できる。
【００５１】
また、現状の広帯域ＣＳデジタル放送においては、右旋円偏波のみ運用されているが、本発明の衛星放送受信装置１００は、将来的に右旋と左旋が同時存在する場合に対応できる。
【産業上の利用可能性】
【００５２】
以上のように、この発明に係る衛星放送受信装置は、１つのアンテナと１つのコンバータからなる信号入力系統からの受信信号を受信する複数のフロントエンドを有する衛星放送受信装置に適用できる。
【図面の簡単な説明】
【００５３】
【図１】衛星放送受信システムの構成例を示す図である。
【図２】実施の形態の衛星放送受信装置の構成例を示す図である。
【図３】衛星放送受信装置の動作例（その１）を示す図である。
【図４】衛星放送受信装置の動作例（その２）を示す図である。
【図５】衛星放送受信装置の動作例（その３）を示す図である。
【符号の説明】
【００５４】
１・・・アンテナ、２・・・コンバータ、３・・・信号ケーブル、１０・・・信号入力端子、１１・・・分配器、１２ａ，１２ｂ・・・フロントエンド、１３・・・制御部、１４・・・コンバータ電源、１５・・・操作部、１６・・・信号処理部、１７・・・映像出力端子、１８・・・音声出力端子、１００・・・衛星放送受信装置
【図１】
2006054811.tif 000003
【図２】
2006054811.tif 000004
【図３】
2006054811.tif 000005
【図４】
2006054811.tif 000006
【図５】
2006054811.tif 000007